(57)【要約】【課題】画像表示の視認性を安定的に高める表示制御ユニットの提供。【解決手段】表示制御ユニットは、液晶パネルの現在温度Ｔｐを取得する温度取得部Ｓ１３０と、液晶パネルをなす画素群のうちアンチエイリアス処理により最小輝度値及び最大輝度値間の中間輝度値が与えられる中間輝度画素を選択する画素選択部Ｓ１２０，Ｓ１２１と、基準温度に対応する基準ガンマ値をγｂと定義し、現在温度Ｔｐに対応する現在ガンマ値をγｐと定義し、上記最大輝度値をＬｌと定義し、画素選択部により選択された中間輝度画素の中間輝度値をＬｍと定義すると、当該中間輝度値から変換させる補正輝度値ＬｃとしてＬｌ×（Ｌｍ／Ｌｌ）（γｂ／γｐ）にて表される値を演算する輝度補正部Ｓ１３１，Ｓ１３２，Ｓ１３３と、画素選択部により選択された中間輝度画素を輝度補正部により演算された補正輝度値に基づいて駆動する画素駆動部Ｓ１４とを、機能的に構築する。【選択図】図５
2019045730.tif 000002
【特許請求の範囲】
【請求項１】
液晶パネル（２）の画像表示を制御する表示制御ユニット（４）であって、
前記液晶パネルの現在温度（Ｔｐ）を取得する温度取得部（Ｓ１３０）と、
前記液晶パネルをなす画素群のうち、アンチエイリアス処理により最小輝度値及び最大輝度値間の中間輝度値が与えられる中間輝度画素（２１１ｂ，２１２ｂ）を、選択する画素選択部（Ｓ１２０，Ｓ１２１）と、
基準温度（Ｔｂ）に対応して１よりも大きなガンマ値としての基準ガンマ値をγｂと定義し、前記温度取得部により取得された前記現在温度に対応するガンマ値としての現在ガンマ値をγｐと定義し、前記最大輝度値をＬｌと定義し、前記画素選択部により選択された前記中間輝度画素の前記中間輝度値をＬｍと定義すると、当該中間輝度値から変換させる補正輝度値（Ｌｃ）として、Ｌｌ×（Ｌｍ／Ｌｌ）（γｂ／γｐ）にて表される値を演算する輝度補正部（Ｓ１３１，Ｓ１３２，Ｓ１３３，Ｓ２１３１，Ｓ２１３３）と、
前記画素選択部により選択された前記中間輝度画素を、前記輝度補正部により演算された前記補正輝度値に基づいて駆動する画素駆動部（Ｓ１４）とを、備える表示制御ユニット。
【請求項２】
前記輝度補正部は、
前記温度取得部により取得された前記現在温度が前記基準温度よりも低いことを条件として、前記中間輝度値から前記補正輝度値への変換演算を遂行する請求項１に記載の表示制御ユニット。
【請求項３】
前記輝度補正部は、
前記温度取得部により取得された前記現在温度が前記基準温度以上に高まることを条件として、前記中間輝度値から前記補正輝度値への変換演算を中止する請求項２に記載の表示制御ユニット。
【請求項４】
前記輝度補正部は、
前記基準温度としての常温に対応する前記基準ガンマ値を、定義する請求項１〜３のいずれか一項に記載の表示制御ユニット。
【請求項５】
前記画素選択部は、
前記画素群のうち、第一輝度値の第一画素領域（２１１）と第二輝度値の第二画素領域（２１２）との境界に位置してそれら第一輝度値及び前記第二輝度値間の前記中間輝度値が与えられる前記中間輝度画素であって、前記アンチエイリアス処理により周囲画素（２１３）との平均輝度値が前記中間輝度値として与えられる前記中間輝度画素を、選択する請求項１〜４のいずれか一項に記載の表示制御ユニット。
【請求項６】
液晶パネル（２）と共に、前記液晶パネルの画像表示を制御する表示制御ユニット（４）を、含んで構成される液晶表示装置（１）であって、
前記表示制御ユニットは、
前記液晶パネルの現在温度（Ｔｐ）を取得する温度取得部（Ｓ１３０）と、
前記液晶パネルをなす画素群のうち、アンチエイリアス処理により最小輝度値及び最大輝度値間の中間輝度値が与えられる中間輝度画素（２１１ｂ，２１２ｂ）を、選択する画素選択部（Ｓ１２０，Ｓ１２１）と、
基準温度（Ｔｂ）に対応して１よりも大きなガンマ値としての基準ガンマ値をγｂと定義し、前記温度取得部により取得された前記現在温度に対応するガンマ値としての現在ガンマ値をγｐと定義し、前記最大輝度値をＬｌと定義し、前記画素選択部により選択された前記中間輝度画素の前記中間輝度値をＬｍと定義すると、当該中間輝度値から変換させる補正輝度値（Ｌｃ）として、Ｌｌ×（Ｌｍ／Ｌｌ）（γｂ／γｐ）にて表される値を演算する輝度補正部（Ｓ１３１，Ｓ１３２，Ｓ１３３，Ｓ２１３１，Ｓ２１３３）と、
前記画素選択部により選択された前記中間輝度画素を、前記輝度補正部により演算された前記補正輝度値に基づいて駆動する画素駆動部（Ｓ１４）とを、備える液晶表示装置。
【発明の詳細な説明】
【技術分野】
【０００１】
本発明は、表示制御ユニット及び液晶表示装置に関する。
【背景技術】
【０００２】
液晶パネルと共に、同パネルの画像表示を制御する表示制御ユニットを含んで構成された液晶表示装置は、広く知られている。
【０００３】
例えば特許文献１に開示の液晶表示装置では、最大輝度値の第一画素領域と最小輝度値の第二画素領域との境界に位置する画素の輝度値として、それら最大輝度値及び最小度値間の中間輝度値が与えられている。これにより、与えられた中間輝度値に基づく画素駆動が実現されることで、第一画素領域と第二画素領域との境界におけるジャギーを緩和して視認性を高めることが可能となっている。
【先行技術文献】
【特許文献】
【０００４】
【特許文献１】特開２０１０−２１７４２２号公報
【発明の概要】
【発明が解決しようとする課題】
【０００５】
さて、特許文献１の開示装置のように中間輝度値を与える処理は、一般にアンチエイリアス処理と呼ばれている。こうしたアンチエイリアス処理により中間輝度値の与えられる画素では、液晶パネルのガンマ値に起因して実際の表示輝度（以下、実表示輝度と表記）が当該中間輝度値からずれる。ここでガンマ値は、液晶パネルの温度に依存する。そのため、液晶パネルの温度が変動すると、中間輝度値に基づいて駆動される画素での実表示輝度には、中間輝度値からのずれに違いが生じる。このような実表示輝度ずれの温度依存性には、ジャギーの緩和による見栄えにばらつきを招くおそれがあるため、改善の必要があった。
【０００６】
本発明は、以上説明した問題に鑑みてなされたものであって、その目的は、画像表示の視認性を安定的に高める表示制御ユニット及び液晶表示装置を、提供することにある。
【課題を解決するための手段】
【０００７】
以下、課題を達成するための発明の技術的手段について、説明する。尚、発明の技術的手段を開示する特許請求の範囲及び本欄に記載された括弧内の符号は、後に詳述する実施形態に記載された具体的手段との対応関係を示すものであり、発明の技術的範囲を限定するものではない。
【０００８】
上述の課題を解決するために開示された第一発明は、
液晶パネル（２）の画像表示を制御する表示制御ユニット（４）であって、
液晶パネルの現在温度（Ｔｐ）を取得する温度取得部（Ｓ１３０）と、
液晶パネルをなす画素群のうち、アンチエイリアス処理により最小輝度値及び最大輝度値間の中間輝度値が与えられる中間輝度画素（２１１ｂ，２１２ｂ）を、選択する画素選択部（Ｓ１２０，Ｓ１２１）と、
基準温度（Ｔｂ）に対応して１よりも大きなガンマ値としての基準ガンマ値をγｂと定義し、温度取得部により取得された現在温度に対応するガンマ値としての現在ガンマ値をγｐと定義し、最大輝度値をＬｌと定義し、画素選択部により選択された中間輝度画素の中間輝度値をＬｍと定義すると、当該中間輝度値から変換させる補正輝度値（Ｌｃ）として、Ｌｌ×（Ｌｍ／Ｌｌ）（γｂ／γｐ）にて表される値を演算する輝度補正部（Ｓ１３１，Ｓ１３２，Ｓ１３３，Ｓ２１３１，Ｓ２１３３）と、
画素選択部により選択された中間輝度画素を、輝度補正部により演算された補正輝度値に基づいて駆動する画素駆動部（Ｓ１４）とを、備える表示制御ユニットである。
【０００９】
また、上述の課題を解決するために開示された第二発明は、
液晶パネル（２）と共に、液晶パネルの画像表示を制御する表示制御ユニット（４）を、含んで構成される液晶表示装置（１）であって、
表示制御ユニットは、
液晶パネルの現在温度（Ｔｐ）を取得する温度取得部（Ｓ１３０）と、
液晶パネルをなす画素群のうち、アンチエイリアス処理により最小輝度値及び最大輝度値間の中間輝度値が与えられる中間輝度画素（２１１ｂ，２１２ｂ）を、選択する画素選択部（Ｓ１２０，Ｓ１２１）と、
基準温度（Ｔｂ）に対応して１よりも大きなガンマ値としての基準ガンマ値をγｂと定義し、温度取得部により取得された現在温度に対応するガンマ値としての現在ガンマ値をγｐと定義し、最大輝度値をＬｌと定義し、画素選択部により選択された中間輝度画素の中間輝度値をＬｍと定義すると、当該中間輝度値から変換させる補正輝度値（Ｌｃ）として、Ｌｌ×（Ｌｍ／Ｌｌ）（γｂ／γｐ）にて表される値を演算する輝度補正部（Ｓ１３１，Ｓ１３２，Ｓ１３３，Ｓ２１３１，Ｓ２１３３）と、
画素選択部により選択された中間輝度画素を、輝度補正部により演算された補正輝度値に基づいて駆動する画素駆動部（Ｓ１４）とを、備える液晶表示装置である。
【００１０】
これら第一及び第二発明によると、選択される中間輝度画素にアンチエイリアス処理によって与えられた中間輝度値からは、上記Ｌｌ×（Ｌｍ／Ｌｌ）（γｂ／γｐ）にて表される補正輝度値が演算される。即ち、基準温度に対応して１よりも大きな基準ガンマ値のべき乗と、液晶パネルの現在温度に対応する現在ガンマ値の逆数のべき乗とが、中間輝度値から補正輝度値への変換演算に反映され得る。これによれば、補正輝度値に基づき駆動される中間輝度画素での実表示輝度について、中間輝度値からのずれをジャギーの緩和に適正化しつつ、当該ずれの温度依存性を抑制することができる。故に、ジャギーの緩和による見栄えをばらつき難くして、画像表示の視認性を安定的に高めることが可能となる。
【図面の簡単な説明】
【００１１】
【図１】第一実施形態による液晶表示装置を示すブロック図である。
【図２】第一実施形態による基準温度での駆動データを説明するための画像イメージ図である。
【図３】第一実施形態による特性を説明するためのグラフである。
【図４】第一実施形態による基準データを説明するための画像イメージ図である。
【図５】第一実施形態による液晶表示制御フローを示すフローチャートである。
【図６】第一実施形態による中間輝度画素の選択を説明するための画像イメージ図である。
【図７】第一実施形態による中間データを説明するための画像イメージ図である。
【図８】第一実施形態による現在温度での駆動データを説明するための画像イメージ図である。
【図９】第一実施形態による基準温度での実表示輝度を説明するための画像イメージ図である。
【図１０】第一実施形態による現在温度での実表示輝度を説明するための画像イメージ図である。
【図１１】第二実施形態による液晶表示制御フローを示すフローチャートである。
【図１２】第二実施形態の変形例による液晶表示制御フローを示すフローチャートである。
【発明を実施するための形態】
【００１２】
以下、本発明の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合わせることができる。
【００１３】
（第一実施形態）
図１に示すように本発明の第一実施形態による液晶表示装置１は、液晶パネル２と共に、温度センサ３と表示制御ユニット４とを、含んで構成されている。この液晶表示装置１は、車両に搭載される。
【００１４】
液晶パネル２は、パネル本体２０とバックライト２２とを備えている。パネル本体２０は、車両の車室内のうち乗員席の周囲において、例えばインストルメントパネル等に設置される。パネル本体２０は、乗員席側を向けて配置される透過照明型の液晶画面２１を、有している。液晶画面２１は、液晶画素を二次元方向に複数ずつ配列したドットマトリクス状の画素群から、構成されている。液晶画面２１は、画素群をなす各液晶画素の駆動により、例えば図形又は文字等といった画像を実像表示する。ここで液晶画面２１は、本実施形態ではノーマリブラック型の画面であり、モノクロの画像を表示する。こうした液晶画面２１を実現するパネル本体２０には、例えば比較的安価で低解像度なＴＦＴ液晶モニタ等が採用される。
【００１５】
バックライト２２は、車両において乗員席とは反対側となるパネル本体２０の背後に、設置される。バックライト２２は、例えばＬＥＤ等の光源と拡散板とを主体として、構成されている。バックライト２２は、通電に応じて光源から放射される光を、拡散板により拡散して出射する。このときバックライト２２は、パネル本体２０に向けて光を出射することで、液晶画面２１を透過照明する。これにより、液晶画面２１の形成画像が発光表示されることになる。
【００１６】
温度センサ３は、液晶パネル２の温度を取得するために、車両において所定箇所に設置される。温度センサ３は、例えばサーミスタ等の感温素子を主体として、構成されている。本実施形態の温度センサ３は、パネル本体２０内のガラス基板に実装され、液晶画面２１の温度を直接的に検出して取得する。尚、温度センサ３は、液晶パネル２のうちパネル本体２０外となるバックライト２２又は表示制御ユニット４に実装され、液晶画面２１の温度を間接的に検出して取得するものであってもよい。あるいは温度センサ３には、液晶パネル２外となる車両搭載センサが代用されてもよく、この場合に液晶画面２１の温度は、当該車両搭載センサの検出温度から推定的に取得可能となる。
【００１７】
表示制御ユニット４は、液晶パネル２の画像表示を制御するために、車両において所定箇所（一箇所に纏めて又は複数箇所に分離して）に設置される。表示制御ユニット４は、例えばＡＳＩＣ等の画像処理回路とマイクロコンピュータと液晶駆動回路とを主体として、構成されている。表示制御ユニット４は、パネル本体２０とバックライト２２と温度センサ３とに対し、電気的に接続されている。それと共に表示制御ユニット４は、図示はしないが、車両に搭載された各種センサのうち画像表示に必要な少なくとも一つのセンサ（以下、単に車両センサと表記）に対し、例えばＬＡＮ等の車内ネットワークを介して通信可能に接続されている。
【００１８】
表示制御ユニット４は、液晶画面２１に表示させる画像のマトリクスデータとして、温度センサ３と車両センサとからの出力信号に基づく駆動データＤｄ（図２を参照）を生成する。このとき表示制御ユニット４は、内部メモリ４０に予め記憶の画像データ（映像データ）を元に駆動データＤｄを生成してもよいし、外部からの画像信号（映像信号）を元に駆動データＤｄを生成してもよいし、それら画像データ及び画像信号の双方を元に駆動データＤｄを生成してもよい。
【００１９】
表示制御ユニット４により生成される駆動データＤｄは、液晶画面２１の画素群をなす各液晶画素毎に個別に与えられる輝度値を、規定する。ここで駆動データＤｄは、画素群の一部を模式的な画像イメージで図２に示すように、Ｘ，Ｙ両軸方向に複数ずつ並ぶ各液晶画素の輝度値を０〜２５５の２５６階調にて規定する、所謂８ビットデータから構成されている。この駆動データＤｄが規定する各液晶画素の輝度値は、駆動輝度値Ｌｄと定義される。
【００２０】
このように定義される駆動データＤｄの駆動輝度値Ｌｄに基づくことで、表示制御ユニット４は液晶画面２１の各液晶画素を駆動する。その結果として液晶画面２１では、図３に例示するように液晶パネル２に固有且つ同パネル２の温度に依存するガンマ値γに起因して、各液晶画素による実表示輝度Ｌｒが下記の式１に従うこととなる。ここで式１におけるＬｌは、画素群をなす各液晶画素の最大輝度値、即ち本実施形態では２５５に定義される。尚、図３には、式１に従う実表示輝度Ｌｒの駆動輝度値Ｌｄに対する相関、即ち後に詳述する補正処理のない場合には駆動輝度値Ｌｄとして与えられていた中間輝度値Ｌｍに対する実表示輝度Ｌｒの相関が、常温（２５℃）と低温（−３０℃）とで対比して例示されている。
Ｌｒ＝Ｌｌ×（Ｌｄ／Ｌｌ）γ  …（式１）
【００２１】
したがって、駆動輝度値Ｌｄとして最小輝度値の０が与えられる場合には、式１に従って実表示輝度Ｌｒも０となることで、液晶画素の表示色はブラックとなる。また、駆動輝度値Ｌｄとして最大輝度値Ｌｌの２５５が与えられる場合には、式１に従って実表示輝度Ｌｒも２５５となることで、液晶画素の表示色はホワイトとなる。さらに、駆動輝度値Ｌｄとして０，２５５の間に定義される中間輝度値Ｌｍのうち１〜２５４のいずれかが与えられる場合には、式１に従う実表示輝度Ｌｒが現出することで、液晶画素の表示色がグレーとなる。
【００２２】
以上の駆動データＤｄを生成するための元データとして本実施形態の表示制御ユニット４は、先述の如き画像データ及び画像信号のうち少なくとも一方に基づく基準データＤ０（図４を参照）を、準備する。ここで基準データＤ０は、画素群の一部を模式的な画像イメージで図４に示すように、Ｘ，Ｙ両軸方向に複数ずつ並ぶ各液晶画素の輝度値を２５６階調のうち０，１の２階調にて規定する、所謂２ビットデータから構成されている。そこで、液晶画面２１の画素群のうち、第一輝度値として最小輝度値０が与えられる液晶画素の領域は、第一画素領域２１１と定義される。また、液晶画面２１の画素群のうち、第二輝度値として最大輝度値１が与えられる液晶画素の領域は、第二画素領域２１２と定義される。さらに、それら領域２１１，２１２の各々において両者の境界に位置する液晶画素は特に、境界画素２１１ｂ，２１２ｂと定義される。
【００２３】
（液晶表示制御フロー）
次に、表示制御ユニット４が予め内部メモリ４０に記憶の制御プログラムを実行することで、図５に示す各ステップが機能的に実現される液晶表示制御フローを、詳細に説明する。尚、車両において液晶表示制御フローは、乗員によるパワースイッチのオン操作に応じて開始され、乗員による同スイッチのオフ操作に応じて終了する。また、液晶表示制御フロー中の「Ｓ」とは、各ステップを意味する。
【００２４】
Ｓ１０では、マトリクスデータであるデータＤ０，Ｄｄ等、内部メモリ４０に一時的に記憶される一時記憶データを、初期化する。次にＳ１１では、基準データＤ０（図４参照）を準備する。
【００２５】
さらにＳ１２では、ジャギーを緩和するためのアンチエイリアス処理を、Ｓ１１により準備された基準データＤ０に対し実行する。具体的にＳ１２のＳ１２０では、中間輝度値Ｌｍが与えられる中間輝度画素として、図４に示す領域２１１，２１２の各境界画素２１１ｂ，２１２ｂを選択する。このとき、領域２１１，２１２の領域境界線Ｂ（図４の破線参照）のうちＹ軸方向に沿う二つの境界線部Ｂｙと交差して選択線Ｓが想定されることで、当該選択線Ｓ上となる境界画素２１１ｂ，２１２ｂが中間輝度画素に選択される。
【００２６】
続いてＳ１２のＳ１２１では、Ｓ１２０より選択された各境界画素２１１ｂ，２１２ｂの輝度値を、各境界画素２１１ｂ，２１２ｂ毎に設定される周囲画素の輝度値と共に平均演算することで、中間輝度値Ｌｍとしての平均輝度値を各境界画素２１１ｂ，２１２ｂに与える。このとき周囲画素には、図６において基準データＤ０に符号２１３を付して例示するように、境界画素２１１ｂ，２１２ｂのＸ軸方向両側に位置する画素と、境界画素２１１ｂ，２１２ｂのＹ軸方向両側のうち同画素２１１ｂ，２１２ｂとは逆領域２１２，２１１に位置する画素とが、設定される。こうした設定下にて先述の如き平均演算が遂行されることでＳ１２１では、各境界画素２１１ｂ，２１２ｂの輝度値が基準データＤ０の０又は１から中間輝度値Ｌｍとしての平均輝度値へと変換された中間データＤｍを、画素群の一部を模式的な画像イメージで示した図７の如く生成する。
【００２７】
ここまで説明したＳ１２によるアンチエイリアス処理が終了すると、図５に示すように液晶表示制御フローのＳ１３では、中間輝度値Ｌｍを補正する補正処理を、Ｓ１２１により生成された中間データＤｍに対し実行する。具体的にＳ１３のＳ１３０では、温度センサ３の出力信号に基づき、液晶パネル２の現在温度Ｔｐを取得する。
【００２８】
続いてＳ１３のＳ１３１では、液晶パネル２のガンマ値γのうち、Ｓ１３０により取得された現在温度Ｔｐに対応する現在ガンマ値γｐを、定義する。ここで現在ガンマ値γｐと現在温度Ｔｐとの相関データは、テーブル、マップ又は演算式の形式で内部メモリ４０に予め記憶されており、当該相関データに従って１よりも大きな現在ガンマ値γｐが定義される。
【００２９】
また続いてＳ１３のＳ１３２では、Ｓ１２１により各境界画素２１１ｂ，２１２ｂ毎に与えられた中間輝度値Ｌｍから変換させる補正輝度値Ｌｃを、Ｓ１３１により定義された現在ガンマ値γｐに基づいて演算する。ここで補正輝度値Ｌｃと、先述の値Ｌｌ，Ｌｍ，γｐ及び後述の値γｂとの相関データは、下記の式２を表す演算式の形式で内部メモリ４０に予め記憶されており、当該相関データに従って各境界画素２１１ｂ，２１２ｂ毎に補正輝度値Ｌｃへの変換演算が遂行される。また、そうした相関データにより表される式２において基準ガンマ値γｂは、基準温度Ｔｂとして本実施形態では例えば２５℃等とされる常温に対応して、１よりも大きな２．２等のガンマ値γに定義されている。さらに、式２を表す相関データに従った演算結果に現出する小数点以下の数値は、全て切り上げ、全て切り下げ、又は四捨五入により近似される。尚、図３には、式２に従う補正輝度値Ｌｃの中間輝度値Ｌｍに対する相関が、常温（２５℃）と低温（−３０℃）とで対比して例示されている。
Ｌｃ＝Ｌｌ×（Ｌｍ／Ｌｌ）（γｂ／γｐ）  …（式２）
【００３０】
尚、基準温度Ｔｂが現在温度Ｔｐと一致している場合には、現在ガンマ値γｐが基準ガンマ値γｂと一致することで、式２を表す相関データに従った演算結果としての補正輝度値Ｌｃが補正前の中間輝度値Ｌｍと一致することになる（図３参照）。そこで、基準温度Ｔｂが現在温度Ｔｐと一致している場合のＳ１３４では、式２を表す相関データに従った演算を遂行しないで、中間輝度値Ｌｍをそのまま補正輝度値Ｌｃとして与えてもよい。
【００３１】
以上の後にＳ１３のＳ１３３では、Ｓ１３２により演算された補正輝度値Ｌｃを各境界画素２１１ｂ，２１２ｂの駆動輝度値Ｌｄとして与えるために、画素群の一部を模式的な画像イメージで示した図２，８の如く駆動データＤｄを生成する。このとき、境界画素２１１ｂ，２１２ｂ以外の液晶画素には、Ｓ１１により準備された基準データＤ０の輝度値をそのまま駆動輝度値Ｌｄとして与えるように、駆動データＤｄを生成する。ここで図２は、基準温度Ｔｂと一致した現在温度Ｔｐとしての常温（２５℃）、即ち現在ガンマ値γｐが基準ガンマ値γｂと一致する常温での駆動データＤｄの駆動輝度値Ｌｄを、例示している。一方で図８は、基準温度Ｔｂからずれた現在温度Ｔｐとしての低温（−３０℃）、即ち現在ガンマ値γｐが基準ガンマ値γｂからずれる低温での駆動データＤｄの駆動輝度値Ｌｄを、例示している。
【００３２】
ここまで説明したＳ１３による補正処理が終了すると、図５に示すように液晶表示制御フローのＳ１４では、駆動処理を実行する。具体的にＳ１４では、Ｓ１３３により生成された駆動データＤｄに基づいて液晶画面２１の各液晶画素を駆動することで、当該液晶画面２１に画像を表示させる。
【００３３】
このとき、Ｓ１２０により中間輝度画素として選択の各境界画素２１１ｂ，２１２ｂでは、Ｓ１３２により演算の補正輝度値Ｌｃに基づいた駆動を遂行する。その結果、画素群の一部を模式的な画像イメージで図９，１０に示すように、実表示輝度Ｌｒが先述の式１に従って現出する。ここで図９は、基準温度Ｔｂと一致した基準温度Ｔｂとしての常温（２５℃）、即ち現在ガンマ値γｐが基準ガンマ値γｂと一致する常温での実表示輝度Ｌｒを、例示している。一方で図１０は、基準温度Ｔｂからずれた現在温度Ｔｐとしての低温（−３０℃）、即ち現在ガンマ値γｐが基準ガンマ値γｂからずれる低温での実表示輝度Ｌｒを、例示している。
【００３４】
これら図９，１０からも明らかなように現在温度Ｔｐ下では、先述の式１，２に基づき下記の式３が成立することで、温度依存の抑制された実表示輝度Ｌｒの中間輝度値Ｌｍからのずれが、ジャギーの緩和に小さ過ぎず大き過ぎないように適正化される。尚、図３には、式３に従う実表示輝度Ｌｒの中間輝度値Ｌｍに対する相関につき、常温（２５℃）と低温（−３０℃）とで一致することが、例示されている。
Ｌｒ＝Ｌｌ×（（Ｌｍ／Ｌｌ）（γｂ／γｐ））γｐ  …（式３）
【００３５】
ここで特にノーマリブラック型の液晶画面２１では、中間輝度値Ｌｍからの実表示輝度Ｌｒのずれが実表示輝度Ｌｒの高側に小さくなり過ぎると、境界画素２１１ｂ，２１２ｂの表示が明るくなり過ぎて目立ち易くなることで、ジャギーの緩和具合を悪化させる。故に、式３の成立により実表示輝度Ｌｒのずれは、適正化されて小さくなり過ぎるのを抑制される。
【００３６】
また一方でノーマリブラック型の液晶画面２１では、中間輝度値Ｌｍからの実表示輝度Ｌｒのずれが実表示輝度Ｌｒの低側に大きくなり過ぎると、境界画素２１１ｂ，２１２ｂの表示が暗くなり過ぎて視認し難くなることで、ジャギーの緩和具合を悪化させる。故に、式３の成立により実表示輝度Ｌｒのずれは、適正化されて大きくなり過ぎるのも抑制される。
【００３７】
さて、図５に示すように液晶表示制御フローのＳ１４では、駆動処理が終了すると、Ｓ１１へと戻る。以上より第一実施形態では、表示制御ユニット４のうちＳ１３０を実行する機能部分が「温度取得部」に相当し、表示制御ユニット４のうちＳ１２０，Ｓ１２１を実行する機能部分が「画素選択部」に相当する。また第一実施形態では、表示制御ユニット４のうちＳ１３１，Ｓ１３２，Ｓ１３３を実行する機能部分が「輝度補正部」に相当し、表示制御ユニット４のうちＳ１４を実行する機能部分が「画素駆動部」に相当する。
【００３８】
（作用効果）
ここまで説明の第一実施形態による作用効果を、以下に説明する。
【００３９】
第一実施形態によると、中間輝度画素として選択される境界画素２１１ｂ，２１２ｂにアンチエイリアス処理によって与えられた中間輝度値Ｌｍからは、上記式２の右辺Ｌｌ×（Ｌｍ／Ｌｌ）（γｂ／γｐ）にて表される補正輝度値Ｌｃが演算される。即ち、基準温度Ｔｂに対応して１よりも大きな基準ガンマ値γｂのべき乗と、液晶パネル２の現在温度Ｔｐに対応する現在ガンマ値γｐの逆数のべき乗とが、中間輝度値Ｌｍから補正輝度値Ｌｃへの変換演算に反映され得る。これによれば、補正輝度値Ｌｃに基づき駆動される境界画素２１１ｂ，２１２ｂでの実表示輝度Ｌｒについて、中間輝度値Ｌｍからのずれをジャギーの緩和に適正化しつつ、当該ずれの温度依存性を抑制することができる。故に、ジャギーの緩和による見栄えをばらつき難くして、画像表示の視認性を安定的に高めることが可能となる。
【００４０】
ここで特に第一実施形態によると、基準温度Ｔｂとしての常温に対応する基準ガンマ値γｂのべき乗が、中間輝度値Ｌｍから補正輝度値Ｌｃへの変換演算に反映され得る。これによれば、中間輝度値Ｌｍからの実表示輝度Ｌｒのずれが実表示輝度Ｌｒの高側に小さくなり過ぎるのに起因してジャギーの緩和具合が悪化する事態を、抑制することができる。それと共に、中間輝度値Ｌｍからの実表示輝度Ｌｒのずれが実表示輝度Ｌｒの低側に大きくなり過ぎるのに起因してジャギーの緩和具合が悪化する事態も、抑制することができる。これらのことから、画像表示の視認性を高める上で有利となる。
【００４１】
また第一実施形態によると、液晶パネル２の画素群のうち最小輝度値０の第一画素領域２１１と最大輝度値１の第二画素領域２１２との境界に位置する境界画素２１１ｂ，２１２ｂには、それら０，１間の中間輝度値Ｌｍが与えられる。このとき、境界画素２１１ｂ，２１２ｂとその周囲画素２１３との平均輝度値がアンチエイリアス処理により中間輝度値Ｌｍとして与えられることで、当該中間輝度値Ｌｍから補正輝度値Ｌｃへの変換が遂行されることになる。これによれば、ジャギーの緩和に適正化された実表示輝度Ｌｒを境界画素２１１ｂ，２１２ｂにて適正に発現させることができるので、画像表示の視認性を安定的に高める上で有利となる。
【００４２】
（第二実施形態）
図１１に示すように本発明の第二実施形態は、第一実施形態の変形例である。第二実施形態の液晶表示制御フローでは、Ｓ１３による補正処理のうちＳ１３０に続くＳ２１３１にて、Ｓ１３０により取得された現在温度Ｔｐが基準温度Ｔｂよりも低いか否かを、判定する。その結果、Ｓ２１３１にて肯定判定が下された場合には、Ｓ１３１，Ｓ１３２，Ｓ１３３が順次実行される。即ち第二実施形態では、現在温度Ｔｐが基準温度Ｔｂよりも低いことを条件として、現在ガンマ値γｐの定義と、当該定義下における中間輝度値Ｌｍから補正輝度値Ｌｃへの変換演算と、当該変換演算に基づく駆動データＤｄの生成とが順次遂行される。
【００４３】
以上に対し、Ｓ２１３１にて否定判定が下された場合には、Ｓ２１３３が実行される。具体的にＳ２１３３では、全ての液晶画素についてＳ１２１により生成された中間データＤｍの中間輝度値Ｌｍをそのまま駆動輝度値Ｌｄとして与えるように、駆動データＤｄを生成する。即ち第二実施形態では、現在温度Ｔｐが基準温度Ｔｂ以上に高まることを条件として、中間輝度値Ｌｍから補正輝度値Ｌｃへの変換演算が中止され、当該変換演算には基づかない駆動データＤｄの生成が遂行される。
【００４４】
さて、図１１に示すように液晶表示制御フローのＳ１４は、Ｓ１３３，Ｓ２１３３のいずれの終了後にも、実行される。但し、Ｓ２１３３の終了後に実行されるＳ１４では、補正輝度値Ｌｃに基づいた各境界画素２１１ｂ，２１２ｂの駆動は遂行されず、中間データＤｍの中間輝度値Ｌｍに基づいた全液晶画素の駆動が遂行される。
【００４５】
尚、Ｓ１１の実行からＳ１４からの戻りまでに要する時間は変換演算の中止如何に拘わらず実質一定となるように、液晶表示制御フローのサイクルタイムが制御される。以上より第二実施形態では、表示制御ユニット４のうちＳ２１３１，Ｓ１３１，Ｓ１３２，Ｓ１３３，Ｓ２１３３を実行する機能部分が「輝度補正部」に相当する。
【００４６】
ここまで説明の第二実施形態によると、現在温度Ｔｐが基準温度Ｔｂよりも低いことを条件として、中間輝度値Ｌｍから補正輝度値Ｌｃへの変換演算が遂行される。これによれば、現在温度Ｔｐが低くなるほど実表示輝度Ｌｒの中間輝度値Ｌｍからのずれが実表示輝度Ｌｒの低側に大きくなり過ぎると、それに起因してジャギーの緩和具合が悪化し且つばらつく事態となることから、当該事態を狙って抑制することができる。故に、画像表示の視認性を安定的に高めることに貢献可能となる。
【００４７】
一方で第二実施形態によると、現在温度Ｔｐが基準温度Ｔｂ以上に高まることを条件として、中間輝度値Ｌｍから補正輝度値Ｌｃへの変換演算が中止される。これにより車両走行時の内部メモリ４０では、中間輝度値Ｌｍから補正輝度値Ｌｃへの変換演算に費やされるリソースを低減して、通常の画像表示制御に必要なリソースを確保することができる。故に車両走行時には、円滑な画像表示を達成することが可能となる。
【００４８】
（他の実施形態）
以上、本発明の複数の実施形態について説明したが、本発明は、それらの実施形態に限定して解釈されるものではなく、本発明の要旨を逸脱しない範囲内において種々の実施形態及び組み合わせに適用することができる。
【００４９】
具体的に、第一及び第二実施形態に関する変形例１では、ノーマリホワイト型の液晶画面２１を有した液晶パネル２が採用されてもよい。この変形例１では、駆動輝度値Ｌｄとして最小輝度値の０が与えられる場合に、式１に従って実表示輝度Ｌｒも０となることで、液晶画素の表示色はホワイトとなる。また変形例１では、駆動輝度値Ｌｄとして最大輝度値Ｌｌの２５５が与えられる場合には、式１に従って実表示輝度Ｌｒも２５５となることで、液晶画素の表示色はブラックとなる。
【００５０】
第一及び第二実施形態に関する変形例２の液晶表示制御フローでは、Ｓ１２１にて先述した平均演算以外のアンチエイリアス処理が実行されることで、各境界画素２１１ｂ，２１２ｂに中間輝度値Ｌｍが与えられてもよい。例えば、一フレームでの走査順が先となることで境界画素２１１ｂ，２１２ｂとして平均輝度値の演算が当該先に遂行された周囲画素２１３の輝度値に、当該先の演算での平均輝度値が採用されてもよい。
【００５１】
第一及び第二実施形態に関する変形例３の液晶表示制御フローでは、Ｓ１３０による現在温度Ｔｐの取得は、Ｓ１０，Ｓ１１の間、Ｓ１１，Ｓ１２の間、又はＳ１２の途中にて遂行されてもよい。
【００５２】
第一及び第二実施形態に関する変形例４では、補正輝度値Ｌｃと値Ｌｌ，Ｌｍ，γｐ，γｂとの相関データは、式２に従う例えばテーブル又はマップの形式で内部メモリ４０に予め記憶されていてもよい。この変形例４の液晶表示制御フローでは、Ｓ１３２にてテーブル形式又はマップ形式の相関データにて値Ｌｍ，γｐに対応する補正輝度値Ｌｃを内部メモリ４０から読み出すことで、中間輝度値Ｌｍから補正輝度値Ｌｃへの変換演算が遂行される。
【００５３】
第二実施形態に関する変形例５の液晶表示制御フローでは、図１２に示すように、Ｓ１３０により取得された現在温度Ｔｐは基準温度Ｔｂからずれている（Ｔｐ≠Ｔｂ）か否かの判定が、Ｓ２１３１にて遂行されてもよい。この変形例５のＳ２１３１にて否定判定が下されるのは、基準温度Ｔｂに一致と擬制可能な範囲に現在温度Ｔｐが収まる場合となる。
【００５４】
第一及び第二実施形態に関する変形例６では、基準データＤ０における第一画素領域２１１の輝度値が液晶画素の最小輝度値よりも大きな値に、既定されていてもよい。第一及び第二実施形態に関する変形例７では、基準データＤ０における第二画素領域２１２の輝度値が液晶画素の最大輝度値（Ｌｌ）よりも小さな値に、既定されていてもよい。
【００５５】
第一及び第二実施形態に関する変形例８では、液晶表示制御フローの各ステップのうち少なくとも一部は、例えば一つ又は複数のＩＣ等から構成されたハードウェアにより、実行されてもよい。以上の他、虚像表示するための液晶パネル及び／又は車両搭載以外の液晶パネルを制御する表示制御ユニット、並びに虚像表示するための液晶パネル及び／又は車両搭載以外の液晶パネルを含んで構成される液晶表示装置に、本発明は適用されてもよい。
【符号の説明】
【００５６】
１  液晶表示装置、２  液晶パネル、３  温度センサ、４  表示制御ユニット、４０  内部メモリ、２０  パネル本体、２１  液晶画面、２１１  第一画素領域、２１１ｂ  境界画素、２１２  第二画素領域、２１２ｂ  境界画素、２１３  周囲画素、Ｄ０  基準データ、Ｄｄ  駆動データ、Ｄｍ  中間データ、Ｌｃ  補正輝度値、Ｌｄ  駆動輝度値、Ｌｌ  最大輝度値、Ｌｍ  中間輝度値、Ｌｒ  実表示輝度、Ｔｂ  基準温度、Ｔｐ  現在温度、γｂ  基準ガンマ値、γｐ  現在ガンマ値
【図１】
2019045730.tif 000003
【図２】
2019045730.tif 000004
【図３】
2019045730.tif 000005
【図４】
2019045730.tif 000006
【図５】
2019045730.tif 000007
【図６】
2019045730.tif 000008
【図７】
2019045730.tif 000009
【図８】
2019045730.tif 000010
【図９】
2019045730.tif 000011
【図１０】
2019045730.tif 000012
【図１１】
2019045730.tif 000013
【図１２】
2019045730.tif 000014